(57)【特許請求の範囲】
【請求項１】
記録媒体としての半導体メモリと、
情報表示部と、
所定の機能を動作させるための操作スイッチと、
誤動作防止用のホールドスイッチと、
上記ホールドスイッチのオン操作に応じて、上記操作スイッチの操作による上記所定機能の動作を禁止すると共に上記情報表示部を消灯し、その状態に於いて上記操作スイッチが操作された場合には、所定の時間だけ上記情報表示部に現在時刻を表示し、その後上記情報表示部を消灯する制御手段と、
を有することを特徴とする半導体レコーダ。
【請求項２】
記録媒体としての半導体メモリと、
情報表示部と、
所定の機能を動作させるための操作スイッチと、
誤動作防止用のホールドスイッチと、
上記ホールドスイッチのオン操作に応じて、上記操作スイッチの操作による上記所定機能の動作を禁止すると共に上記情報表示部を消灯し、その状態に於いて上記操作スイッチが操作された場合には、この操作の継続中は上記情報表示部に現在時刻を表示し、その後上記情報表示部を消灯する制御手段と、
を有することを特徴とする半導体レコーダ。
【請求項３】
音声等のデータを記録可能な半導体メモリと、情報表示部と、所定の機能を動作させるための操作スイッチと、誤動作防止用のホールドスイッチとを有し、上記ホールドスイッチをオンした際には上記操作スイッチが操作されても上記所定機能の動作を禁止するようにした半導体レコーダに於いて、
上記ホールドスイッチの操作に応じて上記情報表示部を省電力状態となし、その状態に於いて上記操作スイッチが操作された場合には、上記情報表示部に現在時刻を表示することを特徴とする半導体レコーダ。
【発明の詳細な説明】
【０００１】
【発明の属する技術分野】
この発明は半導体レコーダに関し、例えば半導体メモリを記録媒体として使用する音声記録再生装置である半導体レコーダに関するものである。
【０００２】
【従来の技術】
近年、音声信号をデジタルデータに変換した後、書き換え可能な記憶媒体としてのフラッシュメモリに記憶し、該フラッシュメモリに記憶された音声データをアナログ化して再生する携帯型の音声記録再生装置（以下、ＩＣレコーダと記す）が実用化されている。
【０００３】
そして、これらＩＣレコーダの特徴として、所定の操作スイッチを操作することにより、録音、再生、早送り及び早戻し等の各動作モードを選択的に機能させることができる。例えば、録音動作の場合は、予め上記記憶媒体に設けられた音声データ領域及びインデックス情報領域に、デジタル信号に変換された音声データ、及び該音声データに関するインデックス情報（音声データのアドレス、録音日時等）を記憶するようになっている。
【０００４】
また、上記操作スイッチは、通常タクティルプッシュスイッチ（Ｔａｃｔｉｌｅ  Ｐｕｓｈ  Ｓｗｉｔｃｈ）と称されるフェザータッチのスイッチで構成されていることが多い。このため、例えば、未使用時に誤って録音スイッチが押されて録音動作が開始して、不要なメモリを消費してしまわないように、操作スイッチそのものの機能を無効にするホールド機能が設けられている。
【０００５】
これら近年のＩＣレコーダは、時計機能も標準装備されており、ＩＣレコーダから時間を確認することも可能である。
【０００６】
また、ホールドスイッチがオン（ホールド機能オン）状態の場合には、ＬＣＤ表示を消灯して、ホールドオン時の無駄な消費電力を抑えることができる。例えば、特開平１１−２３７９３２号公報では、操作スイッチが携帯時の不用意な抑圧によってユーザの意志に反してオンしたとき、上記操作スイッチとは別に設けられたホールドスイッチが予めオン（ホールド機能オン）していれば、上記操作スイッチの機能を無効にしている。このとき同時に、操作スイッチが無効状態であることをＬＣＤ表示の“ＨＯＬＤ”マークで警告表示することが示されている。
【０００７】
【発明が解決しようとする課題】
しかしながら、ホールドスイッチが予め才ン（ホールド機能オン）状態の時は、ＬＣＤ表示が消灯されている。したがって、この状態では時間を知ることは不可能である。
【０００８】
また、ユーザがＩＣレコーダとしての機能は使用せずに時間だけを知りたい場合も、一度ホールドスイッチオフの操作を行い、時間を確認した後に再びホールドスイッチをオンする操作を行わなければならない。このため、ユーザにとっては、時間だけを確認したいのに面倒な作業を強いられてしまう。
【０００９】
この発明は、上記課題に鑑みてなされたものであり、ホールド機能がオン状態の時の消費電力を抑えると共に、ユーザが簡単に時間を確認することができる半導体レコーダを提供することを目的とする。
【００１０】
【課題を解決するための手段】
すなわち第１の発明は、記録媒体としての半導体メモリと、情報表示部と、所定の機能を動作させるための操作スイッチと、誤動作防止用のホールドスイッチと、上記ホールドスイッチのオン操作に応じて、上記操作スイッチの操作による上記所定機能の動作を禁止すると共に上記情報表示部を消灯し、その状態に於いて上記操作スイッチが操作された場合には、所定の時間だけ上記情報表示部に現在時刻を表示し、その後上記情報表示部を消灯する制御手段と、を有することを特徴とする。
【００１１】
また、第２の発明は、記録媒体としての半導体メモリと、情報表示部と、所定の機能を動作させるための操作スイッチと、誤動作防止用のホールドスイッチと、上記ホールドスイッチのオン操作に応じて、上記操作スイッチの操作による上記所定機能の動作を禁止すると共に上記情報表示部を消灯し、その状態に於いて上記操作スイッチが操作された場合には、この操作の継続中は上記情報表示部に現在時刻を表示し、その後上記情報表示部を消灯する制御手段と、を有することを特徴とする。
【００１２】
更に、第３の発明は、音声等のデータを記録可能な半導体メモリと、情報表示部と、所定の機能を動作させるための操作スイッチと、誤動作防止用のホールドスイッチとを有し、上記ホールドスイッチをオンした際には上記操作スイッチが操作されても上記所定機能の動作を禁止するようにした半導体レコーダに於いて、上記ホールドスイッチの操作に応じて上記情報表示部を省電力状態となし、その状態に於いて上記操作スイッチが操作された場合には、上記情報表示部に現在時刻を表示することを特徴とする。
【００１３】
第１の発明の半導体レコーダにあっては、半導体メモリが記録媒体として設けられており、操作スイッチによって所定の機能が動作される。また、ホールドスイッチは誤動作防止用として操作される。そして、上記ホールドスイッチのオン操作に応じて、制御手段により、上記操作スイッチの操作による上記所定機能の動作が禁止される。それと共に、上記制御手段によって情報表示部が消灯され、その状態に於いて上記操作スイッチが操作された場合には、所定の時間だけ上記情報表示部に現在時刻が表示された後、上記情報表示部が消灯される。
【００１４】
第２の発明による半導体レコーダにあっては、半導体メモリが記録媒体として設けられており、操作スイッチによって所定の機能が動作され、ホールドスイッチによって誤動作が防止される。そして、上記ホールドスイッチのオン操作に応じて、制御手段により、上記操作スイッチの操作による上記所定機能の動作が禁止される。それと共に上記情報表示部が制御手段によって消灯され、その状態に於いて上記操作スイッチが操作された場合には、この操作の継続中は上記情報表示部に現在時刻が表示されて、その後上記情報表示部が消灯される。
【００１５】
更に、第３の発明による半導体レコーダにあっては、半導体メモリに音声等のデータが記録可能であり、情報表示部と、所定の機能を動作させるための操作スイッチと、誤動作防止用のホールドスイッチとを有している。そして、上記ホールドスイッチがオンされた際には、上記操作スイッチが操作されても上記所定機能の動作は禁止される。この半導体レコーダに於いては、上記ホールドスイッチの操作に応じて上記情報表示部が省電力状態となされる。そして、その状態に於いて上記操作スイッチが操作された場合には、上記情報表示部に現在時刻が表示されるようになっている。
【００１６】
【発明の実施の形態】
この発明による半導体レコーダである音声記録再生装置は、記録媒体としての半導体メモリと、操作スイッチと、表示部（ＬＣＤ）と、表示部制御部（ＬＣＤコントローラ）と、これらを制御するシステム制御部を有している。これらを含む音声記録再生装置に於いて、操作スイッチの１つであるホールドスイッチがオンされた状態では、表示部が消灯されるようにシステム制御部が動作され、このホールドオン状態で操作スイッチの何れかのスイッチが押された場合に、上記表示部に現在時刻が一定時間表示され、その後再び表示部が消灯される。
【００１７】
これにより、ホールドスイッチがオン状態で表示部を消灯することによって、表示部の消費電力を抑えることができ、且つホールドスイッチがオン状態で時間だけを確認したい場合に、ホールドスイッチをオフにして時間を確認した後、再びホールドスイッチをオンする手間がなく、何れかの操作スイッチを押すだけで現在時刻を確認することができるようにしたので、手間をとらずに時間も確認可能であり、消費電力を抑えることができる。
【００１８】
以下、図面を参照してこの発明の実施の形態を説明する。
【００１９】
図１は、この発明の第１の実施の形態であるＩＣレコーダの構成を示すブロック図である。
【００２０】
図１に於いて、第１の実施の形態によるＩＣレコーダは、マイクロフォン１と、マイクアンプ（ＡＭＰ）２と、ローパスフィルタ（ＬＰＦ）３と、音声録音再生ＩＣ（ＡＤ／ＤＡ／ＡＤＰＣＭ）４と、ローパスフィルタ（ＬＰＦ）５と、パワーアンプ（ＡＭＰ）６と、スピーカ７と、システム制御部１０と、表示部１１と、記憶部（フラッシュメモリ）１２及び操作部１４とを有して構成されている。
【００２１】
上記マイクロフォン１によって音声が電気信号に変換されると、この変換された音声出力は、接続されたマイクアンプ２によって増幅される。このマイクアンプ２で増幅されたアナログの音声信号は、ローパスフィルタ３にて不要な周波数帯域がカットされた後、音声録音再生ＩＣ４によってデジタル信号に変換される。
【００２２】
上記音声録音再生ＩＣ４に於いてデジタル信号に変換された音声信号は、録音時にはシステム制御部１０に制御されて、記憶部１２に音声データとして記憶される。一方、再生時には、該記憶部１２に保存された音声データが、システム制御部１０によって制御されて、音声録音再生ＩＣ４でアナログ信号に変換される。この音声録音再生ＩＣ４でアナログ信号に変更された音声信号は、ローパスフィルタ５で不要な周波数帯域がカットされた後、パワーアンプ６で増幅される。そして、増幅された音声信号は、スピーカ７から音声として出力される。
【００２３】
上記システム制御部１０には、上記音声記録再生ＩＣ４以外に、表示部１１と、記憶部１２及び操作部１４が接続されている。このシステム制御部１０は、ＣＰＵで構成されており、上述した各部の動作の制御を司る制御手段としての機能を有している。また、後述する各種操作スイッチの何れが操作されたかを検出するスイッチ操作検出手段としても機能する。更に、システム制御部１０内には、時計機能を有している。
【００２４】
上記記憶部１２は、不揮発性の半導体メモリ、例えばフラッシュメモリ等で構成されており、録音時は上記音声録音再生ＩＣ４で符号化された音声データを上記システム制御部１０の図示されないバッファメモリを介して記憶する。このとき、音声データに関するインデックス情報も記憶する。
【００２５】
操作部１４は、以下の各種操作スイッチにより構成されている。すなわち、ホールドスイッチ（ＨＯＬＤ  ＳＷ）１５、録音スイッチ（ＲＥＣ  ＳＷ）１６、再生スイッチ（ＰＬＡＹ  ＳＷ）１７、停止スイッチ（ＳＴＯＰ  ＳＷ）１８、消去スイッチ（ＥＲＡＳＥ  ＳＷ）１９、早送りスイッチ（ＦＦ  ＳＷ）２０、早戻しスイッチ（ＲＥＷ  ＳＷ）２１、メニュー／フォルダスイッチ（ＭＥＮＵＳＷ）２２である。これらの各種スイッチ１５〜２２が、操作部１４として機能別に配置されている。
【００２６】
上記表示部１１は、例えば液晶表示部により構成されるもので、情報表示部として各種の情報を表示する。この表示部１１には、上述した操作部１４の何れかのスイッチ１５〜２２の操作により、所定のシーケンスが開始されたときの動作モード、またはその後の動作状況が表示される。例えば、録音スイッチ１６が押された場合は、録音の経過時間、録音可能な残り時間及びファイルナンバ等が表示される。また、メニュー／フォルダスイッチ２２が押された場合は、マイク感度（高／低）、録音モード（標準／ロング）及びアラーム（オン／オフ）等の機能選択に関連した表示が行われる。更に、時計機能を有しているシステム制御部１０により、この表示部１１には、現在時刻の表示がなされる。
【００２７】
次に、この第１の実施の形態のＩＣレコーダのホールド時の動作について、図２のフローチャート及び図３を参照して説明する。
【００２８】
通常の動作時は、図３（ａ）に示されるように表示部１１は表示されている。ここで、当該ＩＣレコーダの操作部１４の１つであるホールドスイッチ１５がオンされると、本ルーチンに入る。
【００２９】
そして、先ずステップＳ１にて、図３（ｂ）に示されるように、表示部１１に“ＨＯＬＤ”の文字が一定時間（ここでは例として２秒間とする）表示される。上記一定時間が経過すると、続くステップＳ２にて、図３（ｃ）に示されるように、表示部１１が消灯される。
【００３０】
次いで、ステップＳ３に於いて、操作部１４の１つであるホールドスイッチ１５の状況がチェックされる。ここで、ホールドスイッチ１５がオフされていれば、通常動作に戻る。一方、ホールドスイッチ１５がオフされていない場合は、続くステップＳ４に於いて、操作部１４内の他のスイッチがオンされていないかがシステム制御部１０によってチェックされる。
【００３１】
このステップＳ４にて、上記ホールドスイッチ１５以外のスイッチが押されていない場合は、そのまま上記ステップＳ３に移行する。一方、上記ステップＳ４にて、操作部１４内の上記ホールドスイッチ１５以外の何れかのスイッチ、すなわち、録音スイッチ１６、再生スイッチ１７、停止スイッチ１８、消去スイッチ１９、早送りスイッチ２０、早戻しスイッチ２１、メニュー／フォルダスイッチ２２の何れかが押された場合には、ステップＳ５に移行して、図３（ｄ）に示されるように、表示部１１に現在の時刻が一定時間（ここでは例として２秒間とする）表示される。
【００３２】
次いで、ステップＳ６にて、表示部１１に“ＨＯＬＤ”の文字が一定の時間（ここでは例として２秒間とする）表示される（図３（ｂ）参照）。その後、ステップＳ７にて、表示部１１が消灯される（図３（ｃ）参照）。そして、再び操作部１４の１つであるホールドスイッチ１５の状態のチェックである上記ステップＳ３に移行する。
【００３３】
このように、ホールドスイッチ１５のオン状態で表示部１１を消灯するので表示部１１の消費電力を抑えることができる。また、ホールドスイッチをオンにしたまま何れかの操作スイッチを押すだけで現在時刻を確認することができるので、余計な手間をかけずに簡単に時計表示を確認することができる。
【００３４】
次に、この発明の第２の実施の形態について説明する。
【００３５】
この第２の実施の形態は、操作スイッチが押されている間は現在時刻を表示し、操作を終了すると“ＨＯＬＤ”が表示された後に表示部を消灯するというものである。尚、この第２の実施の形態に於いて、その構成は上述した第１の実施の形態と同じであるので説明は省略する。
【００３６】
以下、図４のフローチャートを参照して、第２の実施の形態のＩＣレコーダのホールド時の動作について説明する。
【００３７】
通常の動作時は、表示部１１に“ＨＯＬＤ”の文字が表示されている（図３（ａ）参照）。ここで、当該ＩＣレコーダの操作部１４の１つであるホールドスイッチ１５がオンされると、本ルーチンに入る。
【００３８】
そして、先ずステップＳ１１にて、表示部１１に“ＨＯＬＤ”の文字が一定時間（ここでは例として２秒間とする）表示される（図３（ｂ）参照）。上記一定時間が経過すると、続くステップＳ１２にて、表示部１１が消灯される（図３（ｃ）参照）。
【００３９】
次いで、ステップＳ１３に於いて、操作部１４の１つであるホールドスイッチ１５の状況がチェックされる。ここで、ホールドスイッチ１５がオフされていれば、通常動作に戻る。一方、ホールドスイッチ１５がオフされていない場合は、続くステップＳ１４に於いて、操作部１４内の他のスイッチがオンされていないかがシステム制御部１０によってチェックされる。
【００４０】
このステップＳ１４にて、操作部１４内の上記ホールドスイッチ１５以外の何れかのスイッチ１６〜２２が押された場合には、ステップＳ１５に移行して、表示部１１に現在の時刻が表示される（図３（ｄ）参照）。その後、再び操作部１４の１つであるホールドスイッチ１５の状態のチェックである上記ステップＳ１３に移行する。
【００４１】
一方、上記ステップＳ１４に於いて、上記ホールドスイッチ１５以外のスイッチが押されていない場合は、ステップＳ１５に移行して、表示部１１に“ＨＯＬＤ”の文字が一定の時間（ここでは例として２秒間とする）表示される（図３（ｂ）参照）。その後、ステップＳ１７にて、表示部１１が消灯される（図３（ｃ）参照）。そして、再び操作部１４の１つであるホールドスイッチ１５の状態のチェックである上記ステップＳ１３に移行する。
【００４２】
尚、この発明の上記実施の形態によれば、以下の如き構成を得ることができる。
【００４３】
（１）  記録媒体としての半導体メモリと、液晶表示部と、複数の操作スイッチが設けられたスイッチ操作部と、上記複数の操作スイッチのどのスイッチが操作されたかを検出するスイッチ操作検出手段と、誤動作防止用のホールドスイッチを有する半導体レコーダに於いて、
上記ホールドスイッチをオンしたときに上記操作スイッチの操作を無効とすると共に上記液晶表示部を消灯し、その状態に於いて、上記操作スイッチが操作された場合には、上記液晶表示部に現在時刻を所定時間だけ表示した後、上記液晶表示部を消灯するようにしたことを特徴とする半導体レコーダ。
【００４４】
（２）  音声等のデータを記録可能な半導体メモリと、情報表示部と、所定の機能を動作させるための操作スイッチと、誤動作防止用のホールドスイッチとを有し、上記ホールドスイッチをオンした際には上記操作スイッチが操作されても上記所定機能の動作を禁止するようにした半導体レコーダに於いて、
上記ホールドスイッチの操作に応じて上記情報表示部を省電力状態となし、その状態に於いて上記操作スイッチが操作された場合には、上記情報表示部に現在時刻を表示し、その後上記情報表示部を省電力状態とすることを特徴とする半導体レコーダ。
【００４５】
（３）  上記情報表示部は、液晶表示装置であることを特徴とする上記（２）に記載の半導体レコーダ。
【００４６】
（４）  上記省電力状態では、上記情報表示部を消灯することを特徴とする上記（２）に記載の半導体レコーダ。
【００４７】
（５）  上記ホールドスイッチの操作がされると、上記情報表示部にホールド状態である旨の表示をした後に省電力状態とすることを特徴とする上記（２）に記載の半導体レコーダ。
【００４８】
（６）  上記情報表示部に現在時刻を表示し、その後上記情報表示部にホールド状態である旨の表示をした後に省電力状態とすることを特徴とする上記（２）に記載の半導体レコーダ。
【００４９】
（７）  上記ホールドスイッチの操作に応じて上記情報表示部を省電力状態となし、その状態に於いて上記操作スイッチが操作された場合には、この操作の継続中は上記情報表示部に現在時刻を表示し、上記操作を終了すると上記情報表示部を省電力状態とすることを特徴とする上記（２）に記載の半導体レコーダ。
【００５０】
（８）  上記情報表示部に現在時刻を表示し、上記操作を終了すると上記情報表示部にホールド状態である旨の表示をした後に省電力状態とすることを特徴とする上記（７）に記載の半導体レコーダ。
【００５１】
【発明の効果】
以上のように、この本発明によれば、ホールドスイッチがオンの状態で操作部の操作を無効として表示装置を消灯させて、未使用時の消費電力を極力抑えることを実現しながら、操作部の一度の操作で現在時刻を容易に確認することが可能となる。
【図面の簡単な説明】
【図１】この発明の第１の実施の形態であるＩＣレコーダの構成を示すブロック図である。
【図２】第１の実施の形態のＩＣレコーダのホールド時の動作について説明するフローチャートである。
【図３】第１の実施の形態のＩＣレコーダのホールド時の動作について説明するもので、（ａ）は通常動作時の表示部１１の表示例を示した図、（ｂ）は表示部１１に“ＨＯＬＤ”の文字が表示された例を示した図、（ｃ）は表示部１１に何も表示されない状態を示した図、（ｄ）は表示部１１に現在時刻を表示した例を示した図である。
【図４】この発明の第２の実施の形態のＩＣレコーダのホールド時の動作について説明するフローチャートである。
【符号の説明】
１  マイクロフォン、
２  マイクアンプ（ＡＭＰ）、
３、５  ローパスフィルタ（ＬＰＦ）、
４  音声録音再生ＩＣ（ＡＤ／ＤＡ／ＡＤＰＣＭ）、
６  パワーアンプ（ＡＭＰ）、
７  スピーカ、
１０  システム制御部、
１１  表示部、
１２  記憶部（フラッシュメモリ）、
１４  操作部、
１５  ホールドスイッチ（ＨＯＬＤ  ＳＷ）、
１６  録音スイッチ（ＲＥＣ  ＳＷ）、
１７  再生スイッチ（ＰＬＡＹ  ＳＷ）、
１８  停止スイッチ（ＳＴＯＰ  ＳＷ）、
１９  消去スイッチ（ＥＲＡＳＥ  ＳＷ）、
２０  早送りスイッチ（ＦＦ  ＳＷ）、
２１  早戻しスイッチ（ＲＥＷ  ＳＷ）、
２２  メニュー／フォルダスイッチ（ＭＥＮＵ  ＳＷ）。
【図１】
0004522526.tif 000002
【図２】
0004522526.tif 000003
【図３】
0004522526.tif 000004
【図４】
0004522526.tif 000005